(57)【特許請求の範囲】
【請求項１】
一次側導体に、該一次側導体に通電することで生じる磁束に対して鎖交するように、二次側コイルを係合させ、該二次側コイルの一端を電流検出手段の一方の端子に接続し、該二次側コイルの他端側の複数の位置に夫々接続して複数のコイル側端子を設け、該複数のコイル側端子のいずれかを選択して接続されると共に前記電流検出手段の他方の端子に接続される検出側端子を設けて切換手段を構成した変流器において、
前記夫々のコイル側端子の近傍を通る直線軌道に沿って移動自在な導体を設け、該導体に対して前記コイル側端子のうちの隣り合う任意のものどうしを同時に接触可能に設け、前記直線軌道における前記隣り合うコイル側端子の間の位置に前記検出側端子を配置し、該検出側端子を前記導体に対して摺動自在に設けて前記切換手段を構成したことを特徴とする変流器。
【発明の詳細な説明】
【０００１】
【発明の属する技術分野】
本発明はＣＴ比が切り換えられるようにした変流器に関する。
【０００２】
【従来の技術】
変流器（ＣＴ）には、一次側電流の測定範囲を切り換えることができる二重比変流器と呼ばれるものがある。二重比変流器の原理図を図４に示す。図４のように一次側導体１に二次側コイル２が巻回され、二次側コイル２のＬ端子と電流計３の一方の端子が接続されている。そして、切換器４を介して電流計３の他方の端子とＫ1端子又はＫ2端子を接続できるようになっている。
【０００３】
図４に示すように切換器４をＫ1端子に接続すると４００Ａまで検出することができ、Ｋ2端子に接続すると２００Ａまで検出することができる。Ｋ1端子とＫ2端子との間でＣＴ比の切り換えを行う場合には、一次側導体１に流れている電流を遮断してから行うことになる。
【０００４】
【発明が解決しようとする課題】
ところが、切り換えを行うために一次側電流を遮断して負荷を停止しなければならず、負荷停止のための労力は多大になる。
【０００５】
そこで本発明は、斯かる課題を解決した変流器を提供することを目的とする。
【０００６】
【課題を解決するための手段】
斯かる目的を達成するための請求項１に係る変流器の構成は、一次側導体に、該一次側導体に通電することで生じる磁束に対して鎖交するように、二次側コイルを係合させ、該二次側コイルの一端を電流検出手段の一方の端子に接続し、該二次側コイルの他端側の複数の位置に夫々接続して複数のコイル側端子を設け、該複数のコイル側端子のいずれかを選択して接続されると共に前記電流検出手段の他方の端子に接続される検出側端子を設けて切換手段を構成した変流器において、前記夫々のコイル側端子の近傍を通る直線軌道に沿って移動自在な導体を設け、該導体に対して前記コイル側端子のうちの隣り合う任意のものどうしを同時に接触可能に設け、前記直線軌道における前記隣り合うコイル側端子の間の位置に前記検出側端子を配置し、該検出側端子を前記導体に対して摺動自在に設けて前記切換手段を構成したことを特徴とする。
【０００７】
【発明の実施の形態】
以下、本発明による変流器の実施の形態を説明する。なお、この実施の形態は従来の変流器の一部を改良したものなので、従来と同一部分には同一符号を付して説明を省略し、異なる部分のみを説明する。
【０００８】
本発明による変流器の構成を図１に示す。図に示すように、切換手段６が設けられている。以下に切換手段６の構造を説明する。枠体７には図示しないガイド手段を介してロッド８が昇降自在に設けられ、ロッド８には取手８ａが形成されている。ロッド８の下部は導体８ｂによって被われている。
【０００９】
コイル側端子としての第一端子１０，第二端子１１が導体８ｂに摺動自在な状態で枠体７に固定されている。第一端子１０，第二端子１１は相互に離した状態で配置されている。第一端子１０は二次側コイル２のＫ1端子に接続され、第二端子１１は二次側コイル２のＫ2端子に接続されている。
【００１０】
そして、電流検出手段としての電流計３の一方の端子を常時導体８ｂに接続しておくため、検出側端子としての第三端子９が導体８ｂに摺動自在な状態で枠体７に固定されるとともに電流計３の一方の端子に接続されている。第三端子９は第一端子１０と第二端子１１との間の位置に配置されている。電流計３の他方の端子は二次側コイル２のＬ端子に接続されている。
【００１１】
導体８ｂの長さは以下のようにして決定される。図３のようにロッド８が最上位置を占めるときは第一端子１０と第三端子９とが導体８ｂを介して接続される長さとされる。図１のようにロッド８が最下位置を占めるときは第二端子１１と第三端子９とが導体８ｂを介して接続される長さである。このとき、導体８ｂの長さを第一端子１０と導体８ｂとが接触するように長くしてもよい。第一端子，第三端子１０，１１の双方が導体８ｂに当接していても二次側電流は二次側コイル２のＬ端子とＫ2端子との間のみを流れることになって問題は生じないからである。また、図２に示すようにロッド８が中間高さを占めるときは第一，第二端子１０，１１の双方が導体８ｂに接触することが重要な要件である。
【００１２】
このほか、ロッド８が図１〜図３の高さ位置を占めるときの状態を明示するため、ロッド８に突起部８ｃが形成され、枠体７にはＣＴ比を示す目盛が設けられている。
【００１３】
次に、斯かる変流器の作用を説明する。まず、４００／５Ａの変流器として用いる場合は、図３に示すようにロッド８を最上位置まで引き上げる。すると、第一端子１０と第三端子９とが導体８ｂに当接し、二次側コイル２のＫ1端子とＬ端子との間に電流計３を接続した状態になる。
【００１４】
次に、図２に示すようにロッド８を中段位置まで引き下げる。すると、第一，第二，第三端子１０，１１，９の全ての端子が導体８ｂに当接した状態になる。
【００１５】
最後に、図１に示すようにロッド８を最下段位置まで引き下げる。すると、第二端子１１と第三端子９とが導体８ｂに当接し、二次側電流は二次側コイル２のＬ端子とＫ2端子との間のみを流れ、２００／５Ａの変流器として用いることができる。
【００１６】
図１の状態から再び図３の状態に戻るには図２の状態を介して移行することになる。
【００１７】
導体８ｂが第一端子１０との接続と第二端子１１との接続との間で切り換わる際には、いずれの方向での切り換えにおいても図２のように第一端子１０，第二端子１１の双方が導体８ｂに当接したのちに、いずれか一方の端子が導体８ｂから離れる。このため、第一，第二端子１０，１１のいずれも導体８ｂに当接しない状態、即ち二次側回路が開になる状態は生じず、第一端子１０，第二端子１１が焼損することはない。
【００１８】
なお、本実施の形態では選択しうる端子として二次側コイルの中間部と端部との２位置と対応する２つの端子を設けたが３位置以上と対応する３つ以上の端子を設けることもできる。
【００１９】
【発明の効果】
以上の説明からわかるように、請求項１に係る変流器によればＣＴ比を切り換える際に二次側回路が開になることなく切り換わるので、開閉部の接点の焼損が防止される。従って、負荷への通電を停止することなくＣＴ比を切り換えることができる。
【図面の簡単な説明】
【図１】本発明による変流器の実施の形態を示す構成図。
【図２】本発明による変流器の実施の形態を示す作用説明図。
【図３】本発明による変流器の実施の形態を示す作用説明図。
【図４】従来の変流器の構成図。
【符号の説明】
１…一次側導体
２…二次側コイル
３…電流計
６…切換手段
８ｂ…導体
９…第三端子
１０…第一端子
１１…第二端子
【図１】
0004114289.tif 000002
【図２】
0004114289.tif 000003
【図３】
0004114289.tif 000004
【図４】
0004114289.tif 000005